(57)【要約】【課題】  掌や手首の位置に空間を設ける必要があり、掌などを固定することができず、安定して生体認証を実施することが難しい場合がある。【解決手段】  利用者の生体の情報を取得する生体情報取得部と、利用者が暗証番号を入力する暗証番号入力部と、暗証番号入力部の上方に位置し、利用者の生体の第１の領域を支持するカバーと、生体情報取得部と暗証番号入力部との間に位置し、利用者の生体の第２の領域を支持する生体支持部と、を備えることを特徴とする生体情報認証装置。【選択図】  図１
2015064708.tif 000002
【特許請求の範囲】
【請求項１】
利用者の生体の情報を取得する生体情報取得部と、
前記利用者が暗証番号を入力する暗証番号入力部と、
前記暗証番号入力部の上方に位置し、前記利用者の生体の第１の領域を支持するカバーと、
前記生体情報取得部と前記暗証番号入力部との間に位置し、前記利用者の生体の第２の領域を支持する生体支持部と、を備えることを特徴とする生体情報認証装置。
【請求項２】
請求項１に記載の生体情報認証装置であって、
前記カバーは、前記暗証番号入力部の上方に空間を形成する第１の形態と、少なくとも前記カバーの端部が前記生体支持部と略同高さとなり前記第１の領域を支持する第２の形態とに可動する可動機構を有することを特徴とする生体情報認証装置。
【請求項３】
請求項２に記載の生体情報認証装置であって、
前記可動機構は、前記カバーと前記生体情報認証装置とを接続する接続部が前記第１の形態および前記第２の形態となるよう所定の角度で前記カバーを係止する機構を備えることを特徴とする生体情報認証装置。
【請求項４】
請求項２に記載の生体情報認証装置であって、
前記可動機構は、前記カバーと前記生体情報認証装置とを接続する接続部がスライド移動可能なスライド溝を有するスライド機構であることを特徴とする生体情報認証装置。
【請求項５】
請求項４に記載の生体情報認証装置であって、
前記スライド溝は、生体情報取得部側に前記カバーを移動可能な第１のスライド溝と、暗証番号入力部側に前記カバーを移動可能な第２のスライド溝とを有することを特徴とする生体情報認証装置。
【請求項６】
請求項１から５のいずれかに記載の生体情報認証装置であって、
前記カバーの端部は円弧形状であることを特徴とする生体情報認証装置。
【請求項７】
請求項１から６のいずれかに記載の生体情報認証装置であって、
前記カバーは、所定の方向からの視認を防ぐフィルタを備えることを特徴とする生体情報認証装置。
【発明の詳細な説明】
【技術分野】
【０００１】
本発明は、生体情報認証装置に関する。
【背景技術】
【０００２】
従来より、暗証入力部の覗き見防止機構として脱着式のカバー、折り畳み可能なカバー等は多数提案されている。本技術分野の背景技術として特開２００９−１４０３１０号公報（特許文献１）がある。この公報では「利用者が暗証番号をキーボード入力する暗証番号入力部と、利用者の手又は指の生体情報に基づいて本人であるか否かを確認する生体認証部とを有し、暗証番号入力部は生体認証部よりも利用者側に近い位置に配置される個人認証装置において、暗証番号入力部の上面に配置され、暗証番号をキーボード入力するための手を入れる開口部を備えた覆いを有する。」と記載されている。
【先行技術文献】
【特許文献】
【０００３】
【特許文献１】特開２００９−１４０３１０号公報
【発明の概要】
【発明が解決しようとする課題】
【０００４】
前記特許文献１に記載された技術を使用した場合、利用者は生体認証を正しく行うことも可能である。しかし、特許文献１の装置の場合、掌から手首部分にかけては暗証番号を入力するためのキーパッドを設ける必要があるため、掌や手首の位置に空間を設ける必要があり、掌などを固定することができず、安定して生体認証を実施することが難しい場合がある。また、従来より暗証入力部の覗き見防止機構として脱着式のカバー、折り畳み可能なカバーは多数提案されていたが、操作性、デザイン性、コスト面で暗証入力部の覗き見防止機構と指静脈装置の指置き台の機能を兼ね備えたカバーは、存在しなかった。
【０００５】
そこで、本発明は利用者が生体認証をする場合に、安定して認証可能な生体情報認証装置を提供する。
【課題を解決するための手段】
【０００６】
上記課題を解決するために、本発明は、利用者の生体の情報を取得する生体情報取得部と、利用者が暗証番号を入力する暗証番号入力部と、暗証番号入力部の上方に位置し、利用者の生体の第１の領域を支持するカバーと、生体情報取得部と暗証番号入力部との間に位置し、利用者の生体の第２の領域を支持する生体支持部と、を備える生体情報認証装置を有する。
【発明の効果】
【０００７】
本発明によれば、暗証番号入力の際には覗き見防止として機能し、指静脈認証を行う際には、指や掌等を安定して支持するパームレストとして機能するカバーを安価にデザインを考慮して実現できる。
【図面の簡単な説明】
【０００８】
【図１】生体情報認証装置の外観を示す斜視図の例である。
【図２】生体情報認証装置の機能ブロック図の例である。
【図３】生体情報認証装置の暗証番号入力時の覗き見防止時の構成を示す側面図の例である。
【図４Ａ】生体認証相違の指置き台時の構成を示す側面図。
【図４Ｂ】生体認証相違の指置き台時の構成を示す上面図。
【図５】生体情報認証装置の指置き台時の構成を示す側面図。
【図６】生体情報認証装置の指置き台時の構成を示す側面図
【図７】生体情報認証装置の外観の一部を示す斜視図の例である。
【発明を実施するための形態】
【０００９】
以下、本発明の実施形態について図面を参照しながら説明する。
【実施例１】
【００１０】
図１〜図２を参照して、本発明の第１実施形態に係わる生体脈認証装置の構成について説明する。図１は、本発明の技術を適用する生体情報認証装置の外観の例を示す斜視図である。本実施形態での生体情報認証装置１０は、指静脈の認証／登録を行う生体情報取得部２０、ＩＣチップ付きのカードを取り扱うＩＣカード部３０、磁気カードを取り扱う磁気カード部４０、暗証番号入力を行うためのキーパッドが備えられた暗証番号入力部５０、暗証番号の入力成否やカードが正しく挿入されたか否かを表示するための表示部６０、生体情報取得部２０に指を置く際に掌を置き安定させるためのパームレスト８０、暗証入力を行う際に操作者以外から暗証入力を覗かれることを防ぐ覗き見防止カバー７０、から構成される。
【００１１】
生体情報取得部２０は、図示しない指を設置する指設置部と、設置された指に近赤外光を照射する光源部と、指を透過した近赤外光の透過光を撮像する撮像部と、指設置部に設けられた指検知センサとから構成される。生体情報の登録または認証時に指設置部に指が置かれたことを指検知センサが検知すると、光源部から近赤外光が照射され、指を透過した透過光を撮像部が撮像し、生体情報の認証または生体情報の登録が実行される。なお、本実施例では認証する生体情報を指静脈として説明するが、指紋等の指静脈以外の生体情報を用いてもよい。
【００１２】
ＩＣカード部３０は、ＩＣチップを有しているＩＣカードから情報を読み込むまたは情報を書き込む機能を有する。利用者（顧客または銀行の行員など）はＩＣカード部３０に設けられたＩＣカード用スリット３１にＩＣカードを挿入し、奥まで押し込むことで、内部にある図示しないＩＣ接点とＩＣカードのＩＣチップとを接触させ、ＩＣカードリーダライタ部３２によりＩＣチップのデータを読みこむことができる。
【００１３】
磁気カード部４０は、磁気ストライプが設けられた磁気カードから情報を読み取る機能を有する。磁気カード部４０に設けられた磁気カード用スリット４２に磁気カードを挿入し、矢印部４１が示す方向にカードを動かす（スワイプともいう）ことで、内部にある図示しない磁気ストライプリーダ部４３を用いてカードの磁気ストライプから情報を読み取る。
【００１４】
暗証番号入力部５０は、暗証番号を入力するための０〜９までの数字キーと、入力を確定させる確定キーと、入力を訂正し再度の入力を可能とする訂正キーとから構成され、取引に応じて利用者から暗証番号の入力を受け付ける。
【００１５】
表示部６０は、液晶画面により構成され、生体情報取得部２０での登録／認証の成否、ＩＣカードの読取成否、磁気カードの読取成否、暗証番号の入力成否などを表示する。また、上記に限らず、生体情報認証装置１０に発生した障害情報なども表示するとしてもよい。
【００１６】
覗き見防止カバー７０は、暗証番号入力部５０の上方に位置し、暗証番号入力部５０を覆うように設けられるカバーである。図１に示すように３方向（左側面、右側面、上面）をプラスチック製またはアクリル製の板で囲まれ、利用者側からしか（利用者から見える方向を利用者方向ともいう）数字キーを視認できないようになっている。これにより、板で囲まれた空間に手を挿入することで、他人から暗証番号を見られることなく、暗証番号を入力することが可能となる。また、覗き見防止カバー７０は可動可能な構成を有しているが詳細は後述する。
【００１７】
パームレスト８０は、生体情報の登録／認証時に生体情報取得部に指を設置した際、掌を設置するための生体設置部である。可動する覗き見防止カバー７０と共に、生体を支える手段となるが詳細は後述する。なお、パームレスト８０は、利用者の生体を支持するため生体支持部ともいう。
【００１８】
図２は、生体情報認証装置１０の機能ブロックを示す機能ブロック図の例である。生体情報認証装置１０は、生体情報取得部２０、磁気ストライプリーダ部４３、ＩＣカードリーダライタ部３２、表示部６０、暗証番号入力部５０、Ｉ／Ｏインターフェース部１００、制御部９０から構成されている。
【００１９】
制御部９０は、ＣＰＵ９１とメモリ９２とを含み、生体情報認証装置１０の各部と電気的に接続し、装置各部と制御信号の送受信を行ない生体情報認証装置１０を制御する。また、Ｉ／Ｏインタフェース部１００は、電気的に上位装置２００と接続し、制御部９０からの信号を上位装置２００に送信し、また、上位装置２００から受信した信号を制御部９０に送信する。なお、生体情報認証装置１０は上位装置２００からＩ／Ｏインタフェース部１００を経由して稼動するための電力を受け取り動作してもよいし、別途電源を備えて稼動してもよい。また、上位装置２００は銀行の窓口に設置している銀行員用ＰＣであってもよいし、ＡＴＭであってもよい。
【００２０】
次に、図３を用いて利用者が暗証番号を入力する際の生体情報認証装置１０の覗き見防止カバー７０の動作について説明する。図３は生体情報認証装置１０を横から見た側面図の例を示す図である。覗き見防止カバー７０は軸７１により覗き見防止カバー７０の端部が円弧を描く範囲で稼動することができる。また、軸７１は例えばギアと接続し、生体情報認証装置１０側のギアと噛み合うことで覗き見防止カバー７０を所定の角度で係止させる構成を有している。なお、覗き見防止カバー７０を係止させる構成であれば、ギア以外の構成であってもよい事は言うまでもない。また、軸７１を覗き見防止カバーと生体情報認証装置１０とを接続する接続部ともいう。
【００２１】
暗証番号を入力する際は、覗き見防止カバー７０を生体情報認証装置１０の設置面に対して鉛直上方向に持ち上げて係止させる。即ち、図３の覗き見防止カバー７０Ａの位置に覗き見防止カバー７０を係止させる。覗き見防止カバー７０Ａの位置に係止させることで、利用者の指３０１が暗証番号入力部５０にアクセスするための空間を確保しつつ、覗き見防止カバー７０Ａの側面と上面の板と生体情報認証装置１０の側壁により、他人から暗証番号を盗み見られるのを防ぐ効果がある。
【００２２】
また、覗き見防止カバー７０Ａの位置に係止させるで暗証番号の入力時の視認性も上がる。なお、覗き見防止カバー７０Ａの位置あり、暗証番号入力部の上方に空間を形成している状態を第１の形態とも言う。
【００２３】
次に、図４を用いて利用者が生体認証を実施するまたは生体情報を登録する際（以降生体認証等を実施する際とする）の生体情報認証装置１０の覗き見防止カバー７０の動作について説明する。図４Ａは生体情報認証装置１０を横からみた側面図、図４Ｂは生体情報認証装置１０を上からみた上面図を示している。生体認証等を実施する際は、覗き見防止カバー７０は図３とは異なり、生体情報認証装置１０の設置面に対して、鉛直下方向に移動させる。即ち、図４Ａ、Ｂの覗き見防止カバー７０Ｂの位置に覗き見防止カバー７０を係止させた状態となる。なお、覗き見防止カバー７０Ｂの位置に係止させた状態を第２の形態ともいう。
【００２４】
このとき、覗き見防止カバー７０の一部の端部がパームレスト８０の上面と同じ高さ（ほぼ同じ高さ）となるため、図４に示すように利用者の生体３０１と覗き見防止カバー７０の端部とパームレスト８０がそれぞれ接触面４０１、４０２にて接触する。従って、生体３０１は生体情報取得部２０が有する指設置部以外の２点により支えられるため、より安定した状態を維持できる。即ち、生体が安定して生体情報取得部２０に設置できるため、取得できる生体情報が安定し、生体認証の認証精度が向上する効果を有する。
【００２５】
なお、接触面４０１を生体の第１の領域、接触面４０２を生体の第２の領域ともいう。また図４では第１の領域は覗き見防止カバー７０の一部の端部と接触しているが、端部に限らずカバーのいずれかの領域で接触すればよいことはいうまでもない。
【００２６】
以上のように本実施例では、上記に示した構成を採用することで、生体情報認証装置１０における覗き見防止カバー７０を暗証番号入力の際には覗き見防止機構として機能させ、生体情報の認証／登録を行う際には、パームレスト８０と共に指や掌を安定して支持する支持部として機能する、１つで２役の効果を備える覗き見防止カバーとなる。従って、操作性、デザイン性、コスト面を兼ね備えた覗き見防止カバー７０を作成することが可能となる。
【実施例２】
【００２７】
次に本発明の第２の実施形態について図５を用いて説明する。第２の実施形態は、図５を用いて説明する以外は、第１の実施形態と同様の構成を有しているため、重複する部分については説明を省略する。
【００２８】
図５は、生体３０１が生体情報の生体認証等を実施している様子を示す側面図である。第２の実施例では、第１の実施例と異なり、軸７１が溝５０１を移動するスライド機構を設ける事により、覗き見防止カバー７０が生体情報認証装置１０の前後に可動し、生体３０１を支える実施例である。
【００２９】
図５を用いて第２の実施例について具体的に説明する。生体情報認証装置１０は、指設置面に対して所定の角度をなすスライド溝５０１を有している。このスライド溝５０１は、覗き見防止カバー７０の軸７１が可動可能な幅で設けられており、スライド溝５０１の両端は軸７１を嵌め込むため（係止させるため）の穴が設けられている。
【００３０】
したがって、暗証番号の入力動作を行う場合、利用者は、覗き見防止カバー７０を利用者側（装置手前側）にスライドさせ、スライド溝５０１の利用者側にある穴に軸７１を嵌め込み、覗き見防止カバー７０Ｄの位置に係止させる。覗き見防止カバー７０Ｄの位置に係止させることで、暗証番号入力部５０と覗き見防止カバー７０との間に空間が形成され、利用者は、他人から暗証番号を盗み見されることなく、かつ、容易に暗証番号を入力することができる。
【００３１】
生体認証等を実施する際、利用者は、覗き見防止カバーを装置奥側にスライドさせ、スライド溝５０１の装置奥側にある穴に軸７１を嵌め込み、覗き見防止カバー７０Ｃの位置に係止させる。このとき、覗き見防止カバー７０は、カバーの一部の端部がパームレスト８０の上面と同じ高さになり、生体情報取得部にかざされた生体３０１を覗き見防止カバー７０の端部と、パームレスト８０の上面の２点でさらに支えることができる。覗き見防止カバー７０Ｃの位置に係止させることで、利用者の生体３０１を安定して支えることができるため、生体情報の取得または認証が安定して行うことができる。
【００３２】
以上のように、本実施例では覗き見防止カバー７０を可動させる機構としてスライド機構５０１を採用し、矢印５０２の方向に軸７１をスライドできる機構にすることにより、暗証番号入力時と生体情報取得時について、簡単に覗き見防止カバー７０の位置を変更可能とすることができる。
【実施例３】
【００３３】
次に本発明の第３の実施例について説明する。第３の実施例は、第２の実施例にて採用したスライド機構５０１をさらに発展させたものとなる。その他の機構については、第１の実施例および第２の実施例と同様であるため、重複する点については記載を省略する。  本実施例のスライド機構６０１について説明する。本実施例のスライド機構６０１が第２の実施例のスライド機構５０１と大きく異なる点は、スライド機構６０１が1つの角度で覗き見防止カバー７０が前後移動するのではなく、２つの角度で覗き見防止カバー７０が可動する点である。
【００３４】
図６を用いてより詳細に説明をする。図６に示すようにスライド機構６０１はスライド機構の中心から生体情報認証装置１０の下方向（矢印６０２方向）に覗き見防止カバー７０を移動可能とする溝（以降、第１のスライド溝と呼ぶ）と、生体情報認証装置１０の利用者側方向（矢印６０３方向）に覗き見防止カバー７０を移動可能とする溝（以降、第２のスライド溝と呼ぶ）とを備えている。
【００３５】
第１スライド溝の端に覗き見防止カバー７０を移動させることで、図６に示すように覗き見防止カバー７０Ｅの位置で係止し、暗証番号を他人に見られることなく入力する事ができる。また、第２のスライド溝の端に覗き見防止カバー７０を移動させることで、覗き見防止カバー７０Ｆの位置で係止し、生体を覗き見防止カバー７０とパームレスト８０とで安定して支える事ができる。このとき、覗き見防止カバー７０と接触する接触面６０４は、第１の実施例および第２の実施例で接触する接触面よりもパームレスト８０から離れた部分にて利用者の生体を支えることができる。
【００３６】
以上のように、本実施例では覗き見防止カバー７０を可動させる機構としてスライド機構６０１を採用し、矢印６０２および矢印６０３の方向に軸７１をスライドできる機構にすることにより、暗証番号入力時と生体情報取得時について、簡単に覗き見防止カバー７０の位置を変更可能とすることができる。特に、矢印６０３の方向に覗き見防止カバー７０を移動させることで、パームレスト８０と覗き見防止カバー７０との間の距離を開けることができ、生体をより安定して支持する事ができる。また、第２のスライド溝の長さを調節することで、覗き見防止カバー７０の生体支持位置を変更可能なため、例えば、生体情報認証装置１０を小型化しても小型化前と同様の位置で生体を支持することができる。
【００３７】
次に本発明の第１〜第３の実施形態の変形例について説明する。
［変形例１］
本実施形態の変形例の１つは、覗き見防止カバー７０において、図示しないプライバシーフィルタを内蔵することにより、覗き見を機能を向上させる構成である。
【００３８】
プライバシーフィルタの特性上、視認性が良い方向（見える方向）と視認性が悪い方向（見えない方向）があるため、指静脈認証装置１０の運用を考慮して、見える方向と見えなくする方向を決定する必要がある。
【００３９】
具体的には、暗証番号の入力をするときは、指静脈認証装置１０の操作者側から操作を行うため、周囲から覗き見される可能性がある覗き見防止カバー７０の右側面をプライバシーフィルタ内蔵とすることにより、右側からの指静脈認証装置の利用者以外の視点（周囲からの覗き見防止視点）から、暗証入力を覗かれないようにすることができる。同様に、周囲から覗き見される可能性がある覗き見防止カバー７０の左側面をプライバシーフィルタ内蔵とすることにより、左側からの指静脈認証装置の利用者以外の視点（周囲からの覗き見防止視点）ら、暗証入力を覗かれないようにすることができる。
【００４０】
さらに、取引者からだけ、暗証入力部３０が見えるようにするために、覗き見防止カバー７０の上部をプライバシーフィルタ内臓の構成にすることにより、取引者の視点でのみ暗証入力ができるので、セキュリティ及び操作性が大きく向上することになる。
【００４１】
以上のように、覗き見防止カバー７０の周囲をプライバシーフィルタ内蔵とすることにより、利用者は他人の視線を気にすることなく暗証番号の入力操作を行うこうができる。［変形例２］
変形例２は、覗き見防止カバー７０の形状を変形させた変形例について説明する。図７は、覗き見防止カバー７０の一部を円弧形状７０１となるようにした生体情報認証装置１０を示す図である。一部を円弧形状７０１とすることで、利用者は暗証番号の入力時に覗き見防止カバー７０により視界が遮られる面積が減るため、暗証番号入力部５０をより容易に視認することができる。また、生体情報取得時に生体３０１と接触する場合は、接触面積が必要最小限になり、利用者に負担を与えないという効果を有している。
【００４２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４３】
１０：生体情報認証装置、２０：生体情報取得部、３０：ＩＣカード部、４０：磁気カード部、５０：暗証番号入力部、６０：表示部、７０：覗き見防止カバー、７１：軸、８０：パームレスト、３０１：生体、４０１、４０２：接触面、５０１、６０１：スライド溝、
【図１】
2015064708.tif 000003
【図２】
2015064708.tif 000004
【図３】
2015064708.tif 000005
【図４Ａ】
2015064708.tif 000006
【図４Ｂ】
2015064708.tif 000007
【図５】
2015064708.tif 000008
【図６】
2015064708.tif 000009
【図７】
2015064708.tif 000010